(57)【要約】【課題】表示の変更を行うユーザーが、機器を利用するための設定項目の表示の変更後の表示時間を把握することができる情報処理装置を提供する。【解決手段】情報処理装置の提示手段は、機器を利用するための設定項目の表示の変更を行う場合に、該機器を利用するときの該設定項目の状態を表示するまでの時間を提示する。【選択図】図１
2019134374.tif 000002
【特許請求の範囲】
【請求項１】
機器を利用するための設定項目の表示の変更を行う場合に、該機器を利用するときの該設定項目の状態を表示するまでの時間を提示する提示手段
を有する情報処理装置。
【請求項２】
前記機器は、画像処理装置であり、
前記設定項目として、前記画像処理装置のハードウェア機能としての設定を含む、
請求項１に記載の情報処理装置。
【請求項３】
前記時間は、前記ハードウェア機能の状態を取得するための通信時間を含む、
請求項２に記載の情報処理装置。
【請求項４】
前記提示手段は、前記時間とともに、前記設定項目の使用頻度を提示する、
請求項１に記載の情報処理装置。
【請求項５】
前記提示手段は、前記設定項目の前記時間と前記使用頻度とを組み合わせた値にしたがって、該設定項目をソートして提示する、
請求項４に記載の情報処理装置。
【請求項６】
前記提示手段は、前記設定項目の前記時間の長さを該設定項目毎にグラフィカルに提示する、
請求項１に記載の情報処理装置。
【請求項７】
前記提示手段は、前記複数の設定項目の前記時間の長さを合計した値を、グラフィカルに提示する、
請求項６に記載の情報処理装置。
【請求項８】
前記提示手段は、前記機器に備え付けられている表示装置に最初に提示する領域と該領域外を区別して提示する、
請求項１に記載の情報処理装置。
【請求項９】
前記最初に提示する領域は、表示装置の一画面で表示できる範囲である、
請求項８に記載の情報処理装置。
【請求項１０】
コンピュータを、
機器を利用するための設定項目の表示の変更を行う場合に、該機器を利用するときの該設定項目の状態を表示するまでの時間を提示する提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ショートカット項目を自動設定することを可能とし、ユーザーの負担を軽減することを課題とし、制御装置は、ユーザーの操作により目的地検索の実行が指示されると、表示装置の画面に、第１階層であるメニュー画面から、ユーザーのタッチパネルの操作に基づいて、複数の項目（アイコン）を含んだ選択画面を階層的に遷移させながら表示させ、このとき、制御装置は、画面表示からアイコンの選択操作が行われるまでの反応時間ｔを各階層において計測し、初期画面から第ｎ階層の選択画面に至るまでの各階層の反応時間ｔが、しきい値Δｔ以下であるときに、熟練した時間であると判断し、初期画面から遷移されるショートカット画面上に、途中の画面遷移を省略して第ｎ階層の選択画面に遷移するショートカット項目を自動設定することが開示されている。
【０００３】
特許文献２には、ユーザーの操作性を向上させつつ、カスタマイズ設定の管理及び制御を容易にすることを課題とし、ＵＩ画面に対し、カスタマイズ時のＵＩ画面間の依存関係を表す種別を含む画面種別情報を管理する第１管理手段と、ＵＩ画面内に配置される配置アイテムに対し、依存先のＵＩ画面のカスタマイズを反映するか否かを表す種別を含む配置アイテム種別情報を管理する第２管理手段と、複数のＵＩ画面の構成を管理及び表示制御する第３管理手段と、第３管理手段により表示制御された所定のＵＩ画面の配置アイテムがカスタマイズされる場合、前記所定のＵＩ画面の画面種別情報及びカスタマイズ対象の配置アイテムの前記配置アイテム種別情報に基づいて、前記所定のＵＩ画面に依存するＵＩ画面にカスタマイズを反映するかを判定するカスタマイズ制御手段と、を備えることが開示されている。
【０００４】
特許文献３には、電子機器の設定を変更するためのカスタマイズが可能な設定画面において、ユーザーの使い方に適した操作環境を提供することを課題とし、電子機器は、設定項目に対応したオブジェクトが配置された設定画面を表示部に表示し、１つの設定項目について複数のオブジェクトが用意されている場合に、該複数のオブジェクトの１つを設定画面に表示させるオブジェクトとしてユーザーに選択させ、１つの設定項目について用意されている複数のオブジェクトは第１のオブジェクトと、前記第１のオブジェクトよりも表示サイズが大きく前記第１のオブジェクトよりも表示する情報量が多い第２のオブジェクトを含み、第２のオブジェクトにより操作可能な設定値の種類は第１のオブジェクトにより操作可能な設定値の種類よりも多いことが開示されている。
【先行技術文献】
【特許文献】
【０００５】
【特許文献１】特開２００８−０７１２５２号公報
【特許文献２】特開２０１５−１３６１８１号公報
【特許文献３】特開２０１６−１４３３４２号公報
【発明の概要】
【発明が解決しようとする課題】
【０００６】
機器を利用するための設定項目の表示の変更（一般的には、ユーザーインタフェースのカスタマイズといわれる）が行われている。例えば、設定項目の表示順序の変更等がある。この設定項目の状態として、設定項目を表示させるまでに時間が長くかかるものがある。例えば、機器を利用しようとするユーザーが、スクロール無しに一画面で、設定項目を表示する画面において（いわゆるＦｉｒｓｔ  Ｖｉｅｗ）、設定項目を表示させるのに時間を要するものが設定されていた場合に、すぐに設定項目が表示されないため、利用者にとって操作性が悪くなってしまう。表示の変更を行うユーザーにとっても、その変更によって表示するまでの時間がどのようになるかについては予測できないことである。
本発明は、表示の変更を行うユーザーが、機器を利用するための設定項目の表示の変更後の表示時間を把握することができる情報処理装置及び情報処理プログラムを提供することを目的としている。
【課題を解決するための手段】
【０００７】
かかる目的を達成するための本発明の要旨とするところは、次の各項の発明に存する。
請求項１の発明は、機器を利用するための設定項目の表示の変更を行う場合に、該機器を利用するときの該設定項目の状態を表示するまでの時間を提示する提示手段を有する情報処理装置である。
【０００８】
請求項２の発明は、前記機器は、画像処理装置であり、前記設定項目として、前記画像処理装置のハードウェア機能としての設定を含む、請求項１に記載の情報処理装置である。
【０００９】
請求項３の発明は、前記時間は、前記ハードウェア機能の状態を取得するための通信時間を含む、請求項２に記載の情報処理装置である。
【００１０】
請求項４の発明は、前記提示手段は、前記時間とともに、前記設定項目の使用頻度を提示する、請求項１に記載の情報処理装置である。
【００１１】
請求項５の発明は、前記提示手段は、前記設定項目の前記時間と前記使用頻度とを組み合わせた値にしたがって、該設定項目をソートして提示する、請求項４に記載の情報処理装置である。
【００１２】
請求項６の発明は、前記提示手段は、前記設定項目の前記時間の長さを該設定項目毎にグラフィカルに提示する、請求項１に記載の情報処理装置である。
【００１３】
請求項７の発明は、前記提示手段は、前記複数の設定項目の前記時間の長さを合計した値を、グラフィカルに提示する、請求項６に記載の情報処理装置である。
【００１４】
請求項８の発明は、前記提示手段は、前記機器に備え付けられている表示装置に最初に提示する領域と該領域外を区別して提示する、請求項１に記載の情報処理装置である。
【００１５】
請求項９の発明は、前記最初に提示する領域は、表示装置の一画面で表示できる範囲である、請求項８に記載の情報処理装置である。
【００１６】
請求項１０の発明は、コンピュータを、機器を利用するための設定項目の表示の変更を行う場合に、該機器を利用するときの該設定項目の状態を表示するまでの時間を提示する提示手段として機能させるための情報処理プログラムである。
【発明の効果】
【００１７】
請求項１の情報処理装置によれば、表示の変更を行うユーザーが、機器を利用するための設定項目の表示の変更後の表示時間を把握することができる。
【００１８】
請求項２の情報処理装置によれば、画像処理装置に適用でき、設定項目として、画像処理装置のハードウェア機能としての設定を含ませることができる。
【００１９】
請求項３の情報処理装置によれば、ハードウェア機能の状態を取得するための通信時間を提示する時間に含ませることができる。
【００２０】
請求項４の情報処理装置によれば、設定項目を表示するまでの時間とともに、その設定項目の使用頻度を提示することができる。
【００２１】
請求項５の情報処理装置によれば、設定項目の時間と使用頻度とを組み合わせた値にしたがって、その設定項目をソートして提示することができる。
【００２２】
請求項６の情報処理装置によれば、設定項目の時間の長さをその設定項目毎にグラフィカルに提示することができる。
【００２３】
請求項７の情報処理装置によれば、複数の設定項目の時間の長さを合計した値を、グラフィカルに提示することができる。
【００２４】
請求項８の情報処理装置によれば、機器に備え付けられている表示装置に最初に提示する領域とその領域外を区別して提示することができる。
【００２５】
請求項９の情報処理プログラムによれば、表示装置の一画面で表示できる範囲を、ユーザーは知ることができる。
【００２６】
請求項１０の情報処理プログラムによれば、表示の変更を行うユーザーが、機器を利用するための設定項目の表示の変更後の表示時間を把握することができる。
【図面の簡単な説明】
【００２７】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理対象の例を示す説明図である。
【図５】本実施の形態による処理対象の例を示す説明図である。
【図６】設定項目表示領域・表示時間テーブルのデータ構造例を示す説明図である。
【図７】設定項目名表示領域・表示時間テーブル、値表示領域・表示時間テーブルのデータ構造例を示す説明図である。
【図８】表示順位・設定項目名表示領域テーブルのデータ構造例を示す説明図である。
【図９】本実施の形態による提示処理例を示す説明図である。
【図１０】本実施の形態による提示処理例を示す説明図である。
【図１１】本実施の形態による提示処理例を示す説明図である。
【図１２】本実施の形態による処理例を示す説明図である。
【図１３】本実施の形態による処理例を示すフローチャートである。
【図１４】設定項目・頻度テーブルのデータ構造例を示す説明図である。
【図１５】本実施の形態を実現するコンピュータのハードウェア構成例を示すブロック図である。
【発明を実施するための形態】
【００２８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２９】
本実施の形態である情報処理装置１００は、機器を利用するための設定項目の表示の変更を行うものであって、図１の例に示すように、カスタムモジュール１１０、ユーザーインタフェース情報記憶モジュール１４０、処理管理モジュール１５０、センサー群１７０を有している。例えば、その機器上で、ユーザーインタフェースのカスタマイズができるようにするものである。
【００３０】
カスタムモジュール１１０は、表示変更受付モジュール１１５、提示モジュール１２０、時間予測モジュール１２５を有しており、ユーザーインタフェース情報記憶モジュール１４０と接続されている。カスタムモジュール１１０は、ユーザーインタフェースのカスタマイズを行う。例えば、図２に示す画像処理装置２００のユーザーインタフェースのカスタマイズを行う。
表示変更受付モジュール１１５は、ユーザーの操作を受け付け、ユーザーインタフェースのカスタマイズモードに移行する。そして、そのカスタマイズモードにおいて、ユーザーの操作である「設定項目の表示の変更」の指示を受け付け、その指示にしたがって、設定項目の表示の変更を行う。例えば、設定項目の表示順番を変更すること等が該当する。設定項目として、画像処理装置２００のハードウェア機能としての設定を含めるようにしてもよい。
【００３１】
提示モジュール１２０は、機器を利用するための設定項目の表示の変更を行う場合に、その機器を利用するときのその設定項目の状態を表示するまでの時間を提示する。
「機器を利用するための設定項目の表示の変更を行う場合」とは、いわゆるユーザーインタフェースのカスタマイズであって、表示すべき設定項目の変更を行うことである。例えば、表示する設定項目の選択、表示順序の変更等がある。
「設定項目」として、設定項目の名称、その設定項目の状態のいずれか一方、又は、これらの組み合わせであってもよい。
「機器を利用するとき」とは、いわゆる本番での機器の利用であって、その設定項目の設定にしたがって、機器が動作する。もちろんのことながら、その表示の変更後（カスタマイズ後）である。
【００３２】
「設定項目の状態を表示するまでの時間」として、その機器との通信を行う時間を含む。また、「設定項目の状態を表示するまでの時間」は、その機器のハードウェア機能の状態を取得するための通信時間を含めるようにしてもよい。なお、「設定項目の状態を表示するまでの時間」は、表示完了までの時間としてもよいし、表示準備完了までの時間（つまり、表示直前までの時間）としてもよい。後者は、表示する内容が決定した後の表示時間はほぼ同じである場合が多いので、どの設定項目が遅いか否かを判断するのに、表示準備完了までの時間で足りるからである。
この情報処理装置１００を使用するユーザーとして、一般のユーザー（その機器の利用者）の他に、その機器の管理者、その機器の開発者（サードベンダー等の開発者を含む）を含めるようにしてもよい。
【００３３】
また、提示モジュール１２０は、「設定項目の状態を表示するまでの時間」とともに、設定項目の使用頻度を提示するようにしてもよい。
そして、提示モジュール１２０は、設定項目の時間と使用頻度とを組み合わせた値にしたがって、その設定項目をソートして提示するようにしてもよい。
また、提示モジュール１２０は、設定項目の時間の長さを、その設定項目毎にグラフィカルに提示するようにしてもよい。
そして、提示モジュール１２０は、複数の設定項目の時間の長さを合計した値を、グラフィカルに提示するようにしてもよい。
【００３４】
また、提示モジュール１２０は、機器に備え付けられている表示装置に最初に提示する領域とその領域外を区別して提示するようにしてもよい。ここで「最初に提示する領域」（ファーストビュー（ＦｉｒｓｔＶｉｅｗ）ともいわれる）は、表示装置の一画面で表示できる範囲としてもよい。より具体的には、「最初に提示する領域」は、ユーザーが、機器を操作することで、設定画面を表示した場合に、一画面でスクロール無し（他にも、タブ切り替え無し等）に表示することができる範囲である。例えば、「最初に提示する領域」として、電源オン後に機器が利用可能となった場合に、その機器の表示装置に最初に設定項目を提示する場合の領域が含まれる。
本実施の形態では、この「最初に提示する領域」に、表示するのに時間を要する設定項目がある場合、最初に提示する領域であるにもかかわらず、表示するのに時間がかかってしまうことになる。つまり、表示するまでにユーザーを待たせることになってしまう。そこで、カスタマイズモードにおいて、設定項目を表示する際に、その設定項目の状態を表示するまでの時間を提示して、ユーザーに時間がかかることが把握できるようにしている。
【００３５】
時間予測モジュール１２５は、各設定項目を表示するまでの時間を予測する。例えば、機器が利用されている場合に、設定項目を表示するまでの時間を計測しておき、計測した時間の履歴から各設定項目を表示するまでの時間を予測するようにしてもよい。例えば、過去の時間の統計的値（平均値、最頻値、中央値、最大値等）を予測値としてもよい。また、その時点で、各設定項目を表示するまでの時間を計測してもよい。
【００３６】
ユーザーインタフェース情報記憶モジュール１４０は、カスタムモジュール１１０、処理管理モジュール１５０と接続されている。ユーザーインタフェース情報記憶モジュール１４０は、機器の表示装置に提示する設定項目の配置に関する情報を記憶している。例えば、設定項目をリスト形式で提示する場合は、図８の例に示す表示順位・設定項目名表示領域テーブル８００のように設定項目の順位を記憶する。図８は、表示順位・設定項目名表示領域テーブル８００のデータ構造例を示す説明図である。表示順位・設定項目名表示領域テーブル８００は、表示順位欄８１０、設定項目名表示領域欄８２０を有している。表示順位欄８１０は、そのリストにおける表示順位を記憶している。設定項目名表示領域欄８２０は、設定項目名表示領域を記憶している。例えば、図８では、表示順位「１」は、設定項目名表示領域「Ｐａｐｅｒ  Ｓｕｐｐｌｙ」であることを示している。
また、ユーザーインタフェース情報記憶モジュール１４０は、各設定項目の表示時間等を記憶していてもよい。
【００３７】
処理管理モジュール１５０は、ユーザーインタフェースモジュール１５５、処理モジュール１６０を有しており、ユーザーインタフェース情報記憶モジュール１４０、センサー群１７０と接続されている。処理管理モジュール１５０は、機器における処理を行う。
ユーザーインタフェースモジュール１５５は、機器に備え付けられている表示装置の画面に設定項目等を提示し、その画面に対するユーザーの操作を受け付ける。例えば、ユーザーインタフェース情報記憶モジュール１４０内の表示順位・設定項目名表示領域テーブル８００の順番にしたがって、設定項目を提示する。なお、提示には、液晶ディスプレイ等の表示装置に表示することの他に、スピーカー等の音声出力装置から音声を出力すること、触覚デバイスを用いた振動等を組み合わせてもよい。
処理モジュール１６０は、ユーザーインタフェースモジュール１５５が受け付けた操作にしたがって、機器の処理を行う。例えば、機器が画像処理装置２００である場合、ユーザーインタフェースモジュール１５５がコピーの操作を受け付けた場合、処理モジュール１６０は複写処理を行う。
センサー群１７０は、処理管理モジュール１５０と接続されている。センサー群１７０は、機器内の構成の状態等を検知する。例えば、機器が画像処理装置２００である場合、給紙手段の大きさ、給紙手段内の用紙の有無、画像処理装置２００に製本や穴あけ等の後処理を行う後処理装置が取り付けられている場合、その後処理装置との通信を行い、その後処理装置の状態等を検出するようにしてもよい。
【００３８】
図２は、本実施の形態を利用したシステム構成例を示す説明図である。
図２（ａ）に示す例は、画像処理装置２００が、情報処理装置１００を有しているシステム構成であり、いわゆるスタンドアローンシステムである。情報処理装置１００は、画像処理装置２００のタッチパネルを兼ねるディスプレイ上にユーザーインタフェースとしての設定項目を表示する。そして、ユーザーの操作にしたがって、ユーザーインタフェースのカスタマイズが行われる。その際に、設定項目を表示するまでの時間も提示して、そのようなカスタマイズを行った場合における表示時間を、ユーザーが把握できるようにしている。
【００３９】
図２（ｂ）に示す例では、画像処理装置２００ａ、画像処理装置２００ｂ、画像処理装置２００ｃ、情報処理装置１００ｄは、通信回線２９０を介してそれぞれ接続されている。通信回線２９０は、無線、有線、これらの組み合わせであってもよく、例えば、通信インフラとしてのインターネット、イントラネット等であってもよい。また、情報処理装置１００による機能は、クラウドサービスとして実現してもよい。
そして、各画像処理装置２００が情報処理装置１００を有しており、スタンドアローンシステムとしてユーザーインタフェースのカスタマイズができるほか、通信回線２９０を介して情報処理装置１００ｄを用いて、各画像処理装置２００のユーザーインタフェースをカスタマイズしてもよい。また、複数の画像処理装置２００が、同じ機種、又は、同じグループ員で用いる等の場合、情報処理装置１００ｄでカスタマイズしたユーザーインタフェースを、他の画像処理装置２００に設定するようにしてもよい。その場合、例えば、グループ員は、同じユーザーインタフェースで画像処理装置２００を用いることができるようになる。
【００４０】
図３は、本実施の形態による処理例を示すフローチャートである。
ステップＳ３０２では、表示変更受付モジュール１１５は、ユーザーの操作に応じて、カスタマイズモードを検知する。
ステップＳ３０４では、提示モジュール１２０は、既に配置された画面を提示する。つまり、カスタマイズモード前の状態のユーザーインタフェースを提示する。
ステップＳ３０６では、表示変更受付モジュール１１５は、カスタマイズ操作を検知する。例えば、設定項目の順番の変更等が該当する。
【００４１】
ステップＳ３０８では、表示変更受付モジュール１１５は、ユーザーの操作が完了したか否かを判断し、完了した場合はステップＳ３１０へ進み、それ以外の場合はステップＳ３０６へ戻る。
ステップＳ３１０では、時間予測モジュール１２５は、カスタマイズされた画面の処理時間を予測する。つまり、各設定項目の状態を表示するまでの時間を予測する。
ステップＳ３１２では、提示モジュール１２０は、各設定項目の表示時間の情報を含めて、画面を提示する。
【００４２】
ステップＳ３１４では、表示変更受付モジュール１１５は、再操作を検知したか否かを判断し、検知した場合はステップＳ３０６へ戻り、それ以外の場合はステップＳ３１６へ進む。ユーザーは、表示時間が適切ではないと判断した場合は、再操作を指示することになる。なお、ユーザーの判断でなく、ファーストビューの表示時間が予め定められた時間以上又は超えている場合は、カスタマイズをやり直すようにメッセージを提示するようにしてもよい。
ステップＳ３１６では、表示変更受付モジュール１１５は、ユーザーの操作に応じてカスタマイズモードを完了する。
ステップＳ３１８では、表示変更受付モジュール１１５は、カスタマイズした設定をユーザーインタフェース情報記憶モジュール１４０に保存する。
【００４３】
図４は、本実施の形態による処理対象の例を示す説明図である。
画面領域４１０は、画像処理装置２００の表示画面である。そして、画面領域４１０は、固定領域４１５、スクロール可能領域４２０に分かれている。
固定領域４１５は、固定された領域であり、カスタマイズできない領域である。例えば、複写をするための領域を常に表示する。具体的に、固定領域４１５には、ユーザー表示領域４５２、コピー操作表示領域４５４、スタートボタン４５６、コピー枚数表示領域４５８、数字キー群４６０を表示する。
【００４４】
スクロール可能領域４２０は、画面領域４１０内の固定領域４１５以外の領域であり、設定項目を表示する。図４の例では、Ｏｕｔｐｕｔ  Ｃｏｌｏｒ表示領域４６２、２−Ｓｉｄｅｄ表示領域４６４を表示しているが、スクロールをすることによって、その下側にあるＰａｐｅｒ  Ｓｕｐｐｌｙ表示領域４６６等を表示させることができる。つまり、画面領域４１０内には設定項目を表示できるが、全ての設定項目を表示できるわけではなく、表示順についてカスタマイズ可能である。
カスタマイズ領域４２５は、カスタマイズ可能領域であり、例えば、上からＯｕｔｐｕｔ  Ｃｏｌｏｒ表示領域４６２、２−Ｓｉｄｅｄ表示領域４６４、Ｐａｐｅｒ  Ｓｕｐｐｌｙ表示領域４６６、Ｃｏｌｌａｔｅｄ表示領域４６８、Ｒｅｄｕｃｅ／Ｅｎｌａｒｇｅ表示領域４７０、Ｏｒｉｇｉｎａｌ  Ｔｙｐｅ表示領域４７２、Ｌｉｇｈｔｅｎ／Ｄａｒｋｅｎ表示領域４７４、Ｏｒｉｇｉｎａｌ  Ｏｒｉｅｎｔａｔｉｏｎ表示領域４７６、Ｏｒｉｇｉｎａｌ  Ｓｉｚｅ表示領域４７８、Ｂｏｏｋｌｅｔ  Ｃｒｅａｔｉｏｎ表示領域４８０、Ｆｒｏｎｔ  Ｃｏｖｅｒ表示領域４８２がある。カスタマイズモードの場合、ユーザーの操作によって、これらの順番を変更可能となる。スクロール可能領域４２０内は常に提示されているので、スクロール可能領域４２０内の設定項目を表示するのに時間がかかる場合は、操作性が悪いと感じてしまうことになる。そこで、本実施の形態は、各設定項目の状態を表示するまでの時間を提示するようにしている。時間の提示については、図９から図１１の例を用いて説明する。
カスタマイズ用指示領域４３０には、リセットボタン４８４、セーブボタン４８６、カスタマイズボタン４８８を表示する。リセットボタン４８４が選択された場合、カスタマイズモードにおいて、カスタマイズ操作を取り消すことを行う。セーブボタン４８６が選択された場合、その時点でのカスタマイズ領域４２５内の設定項目の順番をユーザーインタフェース情報記憶モジュール１４０内に記憶させる。カスタマイズボタン４８８が選択された場合、カスタマイズモードに移行する。
【００４５】
なお、画面領域４１０以外の設定項目Ｚ（スクロールされることによってはじめて表示される設定項目Ｚ）については、画面領域４１０にＯｕｔｐｕｔ  Ｃｏｌｏｒ表示領域４６２等が表示されている間に、その設定項目Ｚの状態を検知することによって、スクロールされた場合であっても表示をスムーズに行うようにすることが可能である。つまり、画面領域４１０に表示されていない設定項目Ｚ（図４の例では、Ｐａｐｅｒ  Ｓｕｐｐｌｙ表示領域４６６以下の設定項目）については、表示される前に、その設定項目Ｚの状態を検知しておくようにすればよい。
【００４６】
図５は、本実施の形態による処理対象の例を示す説明図である。設定項目内の表示内容の例を示すものである。
カスタマイズ領域４２５内の各設定項目表示領域（Ｏｕｔｐｕｔ  Ｃｏｌｏｒ表示領域４６２〜Ｆｒｏｎｔ  Ｃｏｖｅｒ表示領域４８２）は、設定項目名表示領域５１０、値表示領域５２０に分かれている。図５の例は、Ｐａｐｅｒ  Ｓｕｐｐｌｙ表示領域４６６の場合を示したものである。例えば、設定項目名表示領域５１０として「Ｐａｐｅｒ  Ｓｕｐｐｌｙ」（用紙供給）と表示し、値表示領域５２０として、「Ｐａｐｅｒ  Ｓｕｐｐｌｙ」の状態として「Ａｕｔｏ  Ｓｅｌｅｃｔ」（自動選択）と表示している。センサー群１７０は、この「Ａｕｔｏ  Ｓｅｌｅｃｔ」という状態であることを検知する。この検知には、時間を要する。例えば、この設定がなされているか否かを検出する必要があるからである。設定項目によっては、後処理装置と通信を行い、その後処理装置の状態を検知する必要がある。したがって、設定項目の状態を表示するまでの時間は、設定項目毎に異なるのが一般的である。
【００４７】
設定項目（設定項目全体）を表示するまでの時間を、例えば、設定項目表示領域・表示時間テーブル６００で管理している。
図６は、設定項目表示領域・表示時間テーブル６００のデータ構造例を示す説明図である。
設定項目表示領域・表示時間テーブル６００は、設定項目表示領域欄６１０、表示時間欄６２０を有している。設定項目表示領域欄６１０は、対象となる設定項目を記憶している。表示時間欄６２０は、その設定項目における表示時間（設定項目全体の表示時間）を記憶している。例えば、設定項目表示領域としての「Ｐａｐｅｒ  Ｓｕｐｐｌｙ」（状態を表示するまでの時間を含む）の表示時間は「ａ」秒であることを示している。
【００４８】
設定項目表示領域・表示時間テーブル６００の他に、設定項目（設定項目の名称のみ、設定項目の状態のみ）を表示するまでの時間を、例えば、設定項目名表示領域・表示時間テーブル７００、値表示領域・表示時間テーブル７５０で管理してもよい。
図７は、設定項目名表示領域・表示時間テーブル７００、値表示領域・表示時間テーブル７５０のデータ構造例を示す説明図である。
図７（ａ）は、設定項目名表示領域・表示時間テーブル７００のデータ構造例を示す説明図である。
設定項目名表示領域・表示時間テーブル７００は、設定項目名表示領域欄７１０、表示時間欄７２０を有している。設定項目名表示領域欄７１０は、対象となる設定項目名を記憶している。表示時間欄７２０は、その設定項目における名称の表示時間を記憶している。
例えば、設定項目名表示領域としての「Ｐａｐｅｒ  Ｓｕｐｐｌｙ」の表示時間は「ａ１」秒であることを示している。
図７（ｂ）は、値表示領域・表示時間テーブル７５０のデータ構造例を示す説明図である。
値表示領域・表示時間テーブル７５０は、値表示領域欄７６０、表示時間欄７７０を有している。値表示領域欄７６０は、対象となる値表示領域を記憶している。表示時間欄７７０は、その設定項目における状態の表示時間を記憶している。
例えば、値表示領域としての「Ｐａｐｅｒ  Ｓｕｐｐｌｙ」の表示時間は「ａ２」秒であることを示している。
なお、図６と図７で示したａとａ１とａ２の関係は、「ａ＝ａ１＋ａ２」である。
【００４９】
図９は、本実施の形態による時間の提示処理例を示す説明図である。
表示時間バー９１０の長さは、設定項目名表示領域全体（つまり、設定項目名表示領域５１０、値表示領域５２０の両方）を表示するための時間を示している。例えば、半透明の赤色（つまり、下にある設定項目名表示領域５１０、値表示領域５２０内の文字が見える程度の赤色）としてもよい。
また、表示時間バー９１０の長さは、設定項目名表示領域５１０だけを表示するための時間を示すようにしてもよいし、値表示領域５２０だけを表示するための時間を示すようにしてもよい。
図９の例では、図９（ｂ）のＲｅｄｕｃｅ／Ｅｎｌａｒｇｅ表示領域４７０の表示時間が最も短く、次に図９（ａ）のＰａｐｅｒ  Ｓｕｐｐｌｙ表示領域４６６であり、図９（ｃ）のＢｏｏｋｌｅｔ  Ｃｒｅａｔｉｏｎ表示領域４８０の表示時間が最も長いことを示している。つまり、「Ｒｅｄｕｃｅ／Ｅｎｌａｒｇｅ」の状態を検知するのに時間はかからないが、「Ｐａｐｅｒ  Ｓｕｐｐｌｙ」の状態を検知するのにより時間がかかり、「Ｂｏｏｋｌｅｔ  Ｃｒｅａｔｉｏｎ」の状態を検知するのはさらに時間がかかることを示している。
【００５０】
図９に示す例以外の表示例を、図１０に示す。図９に示す表示時間バー９１０は、Ｐａｐｅｒ  Ｓｕｐｐｌｙ表示領域４６６内の文字に重複させていたが、図１０の例では、表示時間バーを重複させずに表示している。
図１０は、本実施の形態による提示処理例を示す説明図である。
図１０（ａ）の例では、表示時間バー１０１０を、Ｐａｐｅｒ  Ｓｕｐｐｌｙ表示領域４６６の右隣に表示したものである。図９に示す表示時間バー９１０の横幅の長さが表示時間に対応していたが、図１０（ａ）の例では、表示時間バー１０１０の高さを表示時間に対応させている。
図１０（ｂ）の例では、表示時間バー１０１０を、Ｐａｐｅｒ  Ｓｕｐｐｌｙ表示領域４６６の下に表示したものである。図９の例と同様に、図１０（ｂ）の例では、表示時間バー１０１０の横幅の長さが表示時間に対応させている。
【００５１】
図１１は、本実施の形態による提示処理例を示す説明図である。
表示時間バー１１１０は、複数の設定項目名表示領域の表示時間の合計を示している。具体的には、表示時間バー１１１０の高さは、Ｐａｐｅｒ  Ｓｕｐｐｌｙ表示領域４６６、Ｃｏｌｌａｔｅｄ表示領域４６８、Ｒｅｄｕｃｅ／Ｅｎｌａｒｇｅ表示領域４７０、Ｏｒｉｇｉｎａｌ  Ｔｙｐｅ表示領域４７２の表示時間の合計を示している。
例えば、これらの設定項目名群（Ｐａｐｅｒ  Ｓｕｐｐｌｙ表示領域４６６、Ｃｏｌｌａｔｅｄ表示領域４６８、Ｒｅｄｕｃｅ／Ｅｎｌａｒｇｅ表示領域４７０、Ｏｒｉｇｉｎａｌ  Ｔｙｐｅ表示領域４７２）が１つのグループを形成している場合、これらを常にグループで表示する必要があるので、そのグループ全体の表示時間を知ることができるようにしている。
【００５２】
図１２は、本実施の形態による処理例を示す説明図である。
ユーザーのカスタマイズ操作にしたがって、図１２（ａ）に示す例の状態から図１２（ｂ）に示す例の状態に変更したことを示している。つまり、編集前の状態である図１２（ａ）の例では、Ｐａｐｅｒ  Ｓｕｐｐｌｙ表示領域４６６、Ｒｅｄｕｃｅ／Ｅｎｌａｒｇｅ表示領域４７０、Ｂｏｏｋｌｅｔ  Ｃｒｅａｔｉｏｎ表示領域４８０のそれぞれの設定項目間には、他の設定項目が挟まれているが、ユーザーの操作に応じて、図１２（ｂ）の例のように、カスタマイズ領域４２５の先頭からＲｅｄｕｃｅ／Ｅｎｌａｒｇｅ表示領域４７０、Ｐａｐｅｒ  Ｓｕｐｐｌｙ表示領域４６６、Ｂｏｏｋｌｅｔ  Ｃｒｅａｔｉｏｎ表示領域４８０を順に表示するように、カスタマイズされている。
また、ユーザーのカスタマイズ操作ではなく、表示時間でソートして、図１２（ｂ）の状態に変更してもよい。
【００５３】
図１３は、本実施の形態による処理例を示すフローチャートである。
ステップＳ１３０２では、表示変更受付モジュール１１５は、ユーザーの操作に応じて、カスタマイズモードを検知する。
ステップＳ１３０４では、提示モジュール１２０は、既に配置された画面を提示する。つまり、カスタマイズモード前の状態のユーザーインタフェースを提示する。
ステップＳ１３０６では、表示変更受付モジュール１１５は、カスタマイズ操作を検知する。例えば、設定項目の順番の変更等が該当する。
【００５４】
ステップＳ１３０８では、表示変更受付モジュール１１５は、ユーザーの操作が完了したか否かを判断し、完了した場合はステップＳ１３１０へ進み、それ以外の場合はステップＳ１３０６へ戻る。
ステップＳ１３１０では、時間予測モジュール１２５は、カスタマイズされた画面の処理時間を予測する。
【００５５】
ステップＳ１３１２では、時間予測モジュール１２５は、各設定項目の頻度情報を取得する。例えば、設定項目・頻度テーブル１４００を用いる。図１４は、設定項目・頻度テーブル１４００のデータ構造例を示す説明図である。設定項目・頻度テーブル１４００は、設定項目欄１４１０、頻度欄１４２０を有している。設定項目欄１４１０は、設定項目を記憶している。頻度欄１４２０は、その設定項目が使用された回数（頻度）を記憶している。
例えば、図１４は、設定項目「Ｐａｐｅｒ  Ｓｕｐｐｌｙ」は、頻度「Ｘ」回であることを示している。
【００５６】
ステップＳ１３１４では、提示モジュール１２０は、各設定項目の表示時間と頻度情報を用いた指標を算出する。例えば、（例１）頻度情報から表示時間を差し引いた値を用いるようにしてもよい。この場合は、値が大きいほど上に表示されるべき設定項目となる。（例２）逆に、表示時間から頻度情報を差し引いた値を用いるようにしてもよい。この場合は、値が小さいほど上に表示されるべき設定項目となる。（例３）また、表示時間と頻度情報のそれぞれに対して重みを用いて算出するようにしてもよい。
（例３）として、具体的には、指標として、以下のものを利用してもよい。
設定項目（Ｎｉ、なおｉは設定項目を示す番号）の操作回数をＮｉとする。
以下のように、正規化を行う。これによって、合計が１になる。
Ｗｎｉ＝Ｎｉ／ｓｕｍ（Ｎ１＋Ｎ２＋……）
設定項目（Ｎｉ）の表示時間をＴｉとする。
以下のように、正規化を行う。これによって、合計が１になる。
Ｗｔｉ＝Ｔｉ／ｓｕｍ（Ｔ１＋Ｔ２＋……）
そして、設定項目の操作回数の優先度の割合をＸ（Ｘは１以下の数値）とし、設定項目の表示時間の優先度の割合を（１−Ｘ）とする。
操作回数の優先度と表示時間の優先度をあわせて、以下のように並び順を決定する。
Ｓｔｅｐ１、Ｗｎｉ、Ｗｔｉをソートする。
Ｗｎｉ：操作回数の大きい順
Ｗｔｉ：表示時間の小さい順
１−Ｗｔｉ：表示時間の大きさ順での表示順番がＷｔｉと同じになる
Ｓｔｅｐ２、総合値の計算式は、以下のものを用いる。
Ｗｉ＝Ｗｎｉ＊Ｘ＋（１−Ｗｔｉ）＊（１−Ｘ）
このＷｉの値を、表示時間と頻度情報を用いた指標とする。このＷｉの値によって、バー（図９の例で示した表示時間バー９１０に該当）の長さが決定される。なお、Ｗｉの値の大きさ順で設定項目の並び順を決めるようにしてもよい。
なお、Ｓｔｅｐ２の例外処理として、以下のようにしてもよい。
（１）Ｗｉ値が２つ以上同じ場合、例えば、設定項目Ａと設定項目ＣのＷｉ値が同じ場合が該当する。
Ｘと（１−Ｘ）の大きい方における順位を優先する。つまり、操作回数優先度の割合と表示時間の優先度の割合を比較して、大きい方を選択する。操作回数が選択された場合は、操作回数が大きい設定項目の表示順位を高く（１位に近く）し、表示時間が選択された場合は、表示時間が短い設定項目の表示順位を高くする。
（２）Ｗｉ値が２つ以上同じあり、さらに、Ｘと（１−Ｘ）が同じの場合は、いずれの表示順位を高くしてもよい。例えば、ランダムにそれらの表示順位を決定するようにしてもよい。
【００５７】
また、操作履歴がない状態で、カスタマイズを行う場合は、表示時間だけで指標を決定してもよい。また、操作回数として、初期値を設定するようにしてもよい。そして、その初期値として、他の画像処理装置２００での操作回数を用いるようにしてもよい。
【００５８】
ステップＳ１３１６では、提示モジュール１２０は、ステップＳ１３１４で算出した指標を含めて、画面を提示する。
ステップＳ１３１８では、表示変更受付モジュール１１５は、再操作を検知したか否かを判断し、検知した場合はステップＳ１３０６へ戻り、それ以外の場合はステップＳ１３２０へ進む。ユーザーは、表示時間又は使用頻度が適切ではないと判断した場合は、再操作を指示することになる。なお、ユーザーの判断でなく、ファーストビューの表示時間が予め定められた時間以上又は超えている場合は、カスタマイズをやり直すようにメッセージを提示するようにしてもよい。又は、ユーザーの判断でなく、ファーストビュー内の設定項目の使用頻度の割合が予め定められた割合以下又は未満である場合は、カスタマイズをやり直すようにメッセージを提示するようにしてもよい。
【００５９】
ステップＳ１３２０では、表示変更受付モジュール１１５は、ユーザーの操作に応じてカスタマイズモードを完了する。
ステップＳ１３２２では、表示変更受付モジュール１１５は、カスタマイズした設定をユーザーインタフェース情報記憶モジュール１４０に保存する。
【００６０】
図１５を参照して、本実施の形態の情報処理装置１００のハードウェア構成例について説明する。図１５に示す構成は、例えばパーソナルコンピュータ（ＰＣ）等によって構成されるものであり、スキャナ等のデータ読み取り部１５１７と、プリンタ等のデータ出力部１５１８を備えたハードウェア構成例を示している。
【００６１】
ＣＰＵ（Ｃｅｎｔｒａｌ  Ｐｒｏｃｅｓｓｉｎｇ  Ｕｎｉｔ）１５０１は、前述の実施の形態において説明した各種のモジュール、すなわち、カスタムモジュール１１０、表示変更受付モジュール１１５、提示モジュール１２０、時間予測モジュール１２５、処理管理モジュール１５０、ユーザーインタフェースモジュール１５５、処理モジュール１６０等の各モジュールの実行シーケンスを記述したコンピュータ・プログラムにしたがった処理を実行する制御部である。
【００６２】
ＲＯＭ（Ｒｅａｄ  Ｏｎｌｙ  Ｍｅｍｏｒｙ）１５０２は、ＣＰＵ１５０１が使用するプログラムや演算パラメータ等を格納する。ＲＡＭ（Ｒａｎｄｏｍ  Ａｃｃｅｓｓ  Ｍｅｍｏｒｙ）１５０３は、ＣＰＵ１５０１の実行において使用するプログラムや、その実行において適宜変化するパラメータ等を格納する。これらはＣＰＵバス等から構成されるホストバス１５０４により相互に接続されている。
【００６３】
ホストバス１５０４は、ブリッジ１５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１５０６に接続されている。
【００６４】
キーボード１５０８、マウス等のポインティングデバイス１５０９は、操作者により操作されるデバイスである。ディスプレイ１５１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１５０９とディスプレイ１５１０の両方の機能を備えているタッチスクリーン等であってもよい。その場合、キーボードの機能の実現について、キーボード１５０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００６５】
ＨＤＤ（Ｈａｒｄ  Ｄｉｓｋ  Ｄｒｉｖｅ）１５１１は、ハードディスク（フラッシュ・メモリ等であってもよい）を内蔵し、ハードディスクを駆動し、ＣＰＵ１５０１によって実行するプログラムや情報を記録又は再生させる。ハードディスクは、ユーザーインタフェース情報記憶モジュール１４０等としての機能を実現させる。さらに、その他の各種データ、各種コンピュータ・プログラム等が格納される。
【００６６】
ドライブ１５１２は、装着されている磁気ディスク、光ディスク、光磁気ディスク、又は半導体メモリ等のリムーバブル記録媒体１５１３に記録されているデータ又はプログラムを読み出して、そのデータ又はプログラムを、インタフェース１５０７、外部バス１５０６、ブリッジ１５０５、及びホストバス１５０４を介して接続されているＲＡＭ１５０３に供給する。なお、リムーバブル記録媒体１５１３も、データ記録領域として利用可能である。
【００６７】
接続ポート１５１４は、例えば、センサー群１７０である外部接続機器１５１５を接続するポートであり、ＵＳＢ、ＩＥＥＥ１３９４等の接続部を持つ。接続ポート１５１４は、インタフェース１５０７、及び外部バス１５０６、ブリッジ１５０５、ホストバス１５０４等を介してＣＰＵ１５０１等に接続されている。通信部１５１６は、通信回線に接続され、外部とのデータ通信処理を実行する。データ読み取り部１５１７は、例えばスキャナであり、ドキュメントの読み取り処理を実行する。データ出力部１５１８は、例えばプリンタであり、ドキュメントデータの出力処理を実行する。
【００６８】
なお、図１５に示す情報処理装置１００のハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００６９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７０】
１００…情報処理装置
１１０…カスタムモジュール
１１５…表示変更受付モジュール
１２０…提示モジュール
１２５…時間予測モジュール
１４０…ユーザーインタフェース情報記憶モジュール
１５０…処理管理モジュール
１５５…ユーザーインタフェースモジュール
１６０…処理モジュール
１７０…センサー群
２００…画像処理装置
２９０…通信回線
【図１】
2019134374.tif 000003
【図２】
2019134374.tif 000004
【図３】
2019134374.tif 000005
【図４】
2019134374.tif 000006
【図５】
2019134374.tif 000007
【図６】
2019134374.tif 000008
【図７】
2019134374.tif 000009
【図８】
2019134374.tif 000010
【図９】
2019134374.tif 000011
【図１０】
2019134374.tif 000012
【図１１】
2019134374.tif 000013
【図１２】
2019134374.tif 000014
【図１３】
2019134374.tif 000015
【図１４】
2019134374.tif 000016
【図１５】
2019134374.tif 000017